(57)【要約】【課題】乳幼児の成長に合わせて、あるいは体長の異なる複数の乳幼児にも使用できる浴槽を提供することを目的としている。また、収納スペースをとらない浴槽を提供することを目的としている。【解決手段】乳幼児の背中を保持する背凭れ部及び乳幼児の臀部を保持する尻受け部１３を有する貯湯槽３と貯湯槽３に設けられて乳幼児の頭を支えるヘッドレスト５とを有する浴槽において、ヘッドレスト５を取付部を介して貯湯槽３に取り付けると共に、ヘッドレスト５における頭部保持部１８の位置を斜め上下方向調整可能に構成した。また、取付部を着脱可能に構成した。さらに、斜め上下方向に複数の取付部を設け、該取付部の位置を変更することで、頭部保持部１８の位置を斜め上下方向調整可能とした。【選択図】　　　　　図１
2004065457.tif 000002
【特許請求の範囲】
【請求項１】
乳幼児の背中を保持する背凭れ部及び乳幼児の臀部を保持する尻受け部を有する貯湯槽と、該貯湯槽に設けられて乳幼児の頭を支えるヘッドレストとを備えた乳幼児用浴槽において、
前記ヘッドレストを取付部を介して前記貯湯槽に取り付けると共に、前記ヘッドレストにおける頭部保持部の位置を斜め上下方向調整可能に構成したことを特徴とする乳幼児用浴槽。
【請求項２】
取付部を着脱可能に構成したことを特徴とする請求項１記載の乳幼児用浴槽。
【請求項３】
複数の取付部を設け、使用する取付部を適宜変更することで、頭部保持部の位置を斜め上下方向調整可能としたことを特徴とする請求項１又は２記載の乳幼児用浴槽。
【請求項４】
取付部は、ヘッドレストの両側に設けた回動軸と、貯湯槽側に設けられて前記回動軸が回動可能に軸着される軸受部からなることを特徴とする請求項１乃至３のいずれかに記載の乳幼児用浴槽。
【請求項５】
貯湯槽側に該貯湯槽の縁部から軸受部に至る回動軸装着用の溝部を設けたことを特徴とする請求項４記載の乳幼児用浴槽。
【請求項６】
貯湯槽を、ヘッドレストが取り付けられる側が縮幅になったひょうたん型にしたことを特徴とする請求項１乃至５のいずれかに記載の乳幼児用浴槽。
【発明の詳細な説明】
【０００１】
【発明の属する技術分野】
本発明は、主として乳幼児の入浴に使用する乳幼児用浴槽に関する。
【０００２】
【従来の技術】
従来の乳幼児用の浴槽は、例えば実公昭５９−１５８５公報に開示されたまくら状部３のように、乳幼児の頭部を支えるヘッドレストが付いているものがある。
しかし、従来のヘッドレストは貯湯槽側に固定されていたため次のような問題があった。
【０００３】
【発明が解決しようとする課題】
乳幼児の成長は速く、頭部の位置がすぐに変わってくるので、ヘッドレストの位置が固定の場合には直ぐに使用出来なくなる。
また、乳幼児用浴槽を複数の乳幼児用として使用する場合を想定すると、乳幼児ごとに頭の位置が異なるので、すべての乳幼児に心地よく使用するのは難しい。
また、ヘッドレストが固定の場合には、浴槽の不使用時に浴槽を押入等に収納する際にヘッドレストがじゃまになるという問題もある。
【０００４】
本発明は係る課題を解決するためになされたものであり、乳幼児の成長に合わせて、あるいは体長の異なる複数の乳幼児にも使用できる乳幼児用浴槽を提供することを目的としている。
また、収納スペースをとらない乳幼児用浴槽を提供することを目的としている。
【０００５】
【課題を解決するための手段】
（１）本発明に係る乳幼児用浴槽は、乳幼児の背中を保持する背凭れ部及び乳幼児の臀部を保持する尻受け部を有する貯湯槽と、該貯湯槽に設けられて乳幼児の頭を支えるヘッドレストとを備えた乳幼児用浴槽において、
前記ヘッドレストを取付部を介して前記貯湯槽に取り付けると共に、前記ヘッドレストにおける頭部保持部の位置を斜め上下方向調整可能に構成したものである。
ヘッドレストにおける頭部保持部の位置を斜め上下方向調整可能に構成するとは、例えば、ヘッドレスト取付部の位置を変えることによりヘッドレスト全体の位置を変更するもの、及びヘッドレスト取付部の位置は変えないで頭部保持部のみを移動できるようにしたものも含む。
また、本発明は乳幼児用浴槽であるが、浴槽に湯を入れないでバスチェアーとして使用することも可能である。したがって、乳幼児用浴槽としての機能を有するものであるかぎり、バスチェアーとして使用できるものも含む。
【０００６】
（２）また、本発明に係る乳幼児用浴槽は、上記（１）記載の取付部を着脱可能に構成したものである。
【０００７】
（３）また、上記（１）〜（２）記載のものにおいて、複数の取付部を設け、使用する取付部を適宜変更することで、頭部保持部の位置を斜め上下方向調整可能としたものである。
【０００８】
（４）また、上記（１）〜（３）記載の取付部を、ヘッドレストの両側に設けた回動軸と、貯湯槽側に設けられて前記回動軸が回動可能に軸着される軸受部から構成したものである。
【０００９】
（５）また、上記（４）記載のものにおいて、貯湯槽側に該貯湯槽の縁部から軸受部に至る回動軸装着用の溝部を設けたものである。
なお、回動軸の一部に扁平部を設けると共に、貯湯槽側に設けた溝部の幅を前記回動軸における扁平部を含む幅よりも大きく、扁平部を含まない幅よりも小さく設定してもよい。このようにすれば、装着した回動軸が軸受部から外れ難くなる。
【００１０】
（６）また、上記（１）〜（５）記載のものにおいて、貯湯槽を、ヘッドレストが取り付けられる側が縮幅になったひょうたん型にしたものである。
【００１１】
【発明の実施の形態】
実施の形態１．
図１は本発明の一実施形態の分解斜視図、図２は同平面図、図３は同側面図、図４は図２の矢視Ａ−Ａ断面図、図５は図２の矢視Ｂ−Ｂ断面図である。以下、図１〜図５に基づいて本実施の形態を説明する。
【００１２】
本実施の形態の乳幼児用浴槽１は、ポリエチレン等の射出成形品からなり、大きく分けて貯湯槽３とヘッドレスト５から構成されている。貯湯槽３は平面視で略ひょうたん型をしている。つまり、ヘッドレスト５が取り付けられる側が縮幅した形状になっている。
貯湯槽３の上縁部は全周に亘って折り返し部が形成されている。また、貯湯槽３の底面部は、ヘッドレスト５の取付側から中央に向かって斜め下方に約４５度の角度で傾斜する傾斜面部７が形成され、傾斜面部７に連続して水平面部９が形成され、さらに水平面部９に連続して約９０度で立ち上がる壁面１１が形成されている。
【００１３】
水平面部９の中央部には傾斜面部７側から壁面１１側に向かって斜め上方にせり上がる尻受け部１３が形成されている。また、尻受け部１３の近傍、壁面１１側の位置には水抜き栓１４が設けられている。さらに、水抜き栓１４の周囲には乳幼児の足が水抜き栓１４に当たるのを防止するための防護壁１６が設けられている。防護壁１６は、図２に示すように、水抜き栓１４を取り囲むようなＣ字状の凸部からなる。
壁面１１の中央には貯湯槽３内方側に突出する突出部１５が形成され、その突出部１５の上面には石けんを置くための凹陥部１７が設けられている。
【００１４】
貯湯槽３の下部には、貯湯槽３を安定的に載置するための台脚１９が設けられている。この台脚１９は可能な限り短く設定してあり、貯湯槽３の湯量を多くするように工夫されている。
【００１５】
次に、ヘッドレスト５について説明する。ヘッドレスト５はその輪郭形状が略Ｕ字形状をしている。また、ヘッドレスト５の上面側には中央部が凹むように湾曲した頭部保持部１８が形成されている。このように頭部保持部１８を湾曲形状にすることで、乳幼児の頭部を安定的に保持できる。なお、頭部保持部１８には頭部保護のためにクッションシートが貼り付けてある。
【００１６】
次に、貯湯槽３とヘッドレスト５の取付構造について説明する。
本実施形態における取付部は、ヘッドレスト５の両側に設けられた回動軸２０ａ、２０ｂと、貯湯槽３に設けられた軸受部から構成されている。
軸受部は、軸受孔２１ａ、２１ｂと、軸受孔２３ａ、２３ｂとがそれぞれ組になっており、斜め上下方向に２組の軸受部が設けられていることになる。これら２組の軸受部のうちから使用する軸受部を選択することで、ヘッドレスト５の位置を斜め上下方向で調整できる。
【００１７】
上記のように構成された本実施の形態の作用について説明する。まず、ヘッドレスト５を貯湯槽３に取り付ける場合には、回動軸の片方、例えば回動軸２０ａを軸受孔２１ａに挿入して、その状態で貯湯槽３の側壁を撓ませ、他方の回動軸２０ｂを他方の軸受孔２１ｂに挿入する。このような構造であれば、ヘッドレストが外れ難く、ヘッドレストを紛失することもない。
【００１８】
図２は使用状態を示しており、ヘッドレスト５の下面が貯湯槽３の傾斜面部７の上縁部に当接して概略４５度の傾きで保持されている。乳幼児を浴槽に入れる場合には、図６に示すように、背中を背凭れ部として機能する傾斜面部７に、臀部を尻受け部１３に夫々保持させ、その状態で乳幼児の頭部がヘッドレスト５の頭部保持部１８に位置するようにする。このとき、乳幼児の頭部が頭部保持部１８より上方にはみ出るようであれば、ヘッドレスト５の回動軸２０ａ、２０ｂを上側の軸受孔２３ａ、２３ｂに挿入して、ヘッドレスト５の位置を斜め上方に移動させる。そうすることにより、頭部保持部１８の位置も斜め上方に移動するので、図６に示すように、体長の大きい乳幼児の頭部位置に合わせることができる。
【００１９】
乳幼児用浴槽１を使用しないで押入等に収納する場合には、ヘッドレスト３を回動して図２に示す状態から図７に示す状態にすることができる。このようにすれば、ヘッドレスト３の出っ張りがなくなり乳幼児用浴槽全体がコンパクトになるので収納が容易になる。
【００２０】
なお、上記の実施の形態においては、軸受孔２１ａ、２１ｂ、２３ａ、２３ｂを貯湯槽３の壁面より外方に形成した例を示したが、これを貯湯槽３の壁面より内方に形成してもよい。
【００２１】
実施の形態２．
図８は本発明の実施の形態２の要部の説明図である。
本実施形態においては、回動軸２０ａ、２０ｂの一部に扁平部２５を設けると共に、貯湯槽３側に貯湯槽３の縁部から貯湯槽側に突出する段部２２を設け、この段部２２に軸受孔２１ａ、２１ｂ、２３ａ、２３ｂに至る溝部２７を設けたものである。
そして、溝部２７の幅Ｓを回動軸２０ａ、２０ｂにおける扁平部２５を含む幅Ｌ１よりも大きく、扁平部２５を含まない幅Ｌ２よりも小さく設定したものである。なお、幅Ｌ１、Ｌ２については図９参照。
【００２２】
上記のように構成した本実施形態においては、回動軸２０ａ、２０ｂを軸受孔２１ａ、２１ｂ、２３ａ、２３ｂに挿入するに際し、回動軸２０ａ、２０ｂの扁平部２５が溝部２７の両壁に対向するように配置して、回動軸２０ａ、２０ｂを溝部２７に沿って落とし込むようにする。このようにすれば、貯湯槽３を撓ませる必要がなく、スムーズな取り付けができる。しかも、回動軸２０ａ、２０ｂにおける扁平部２５を含まない幅Ｌ２が溝部２７の幅Ｓよりも大きいので、回動軸２０ａ、２０ｂが溝部２７から抜け落ちにくい構造になっている。
【００２３】
なお、図１０に示すように、溝部２７の形状をＵ字状にすることも可能である。この場合には回動軸２０ａ、２０ｂの一部を扁平にする必要がなく、製造が容易になるというメリットがある。
【００２４】
実施の形態３．
図１１は本発明の実施の形態３の要部の説明である。
本実施の形態では、ヘッドレスト５と貯湯槽３の傾斜面部７に係止部を設け、両者を着脱可能に構成したものである。係止部の例としては、図１１に示すように、ヘッドレスト側に設けた突起３１と、貯湯槽３の傾斜面７側に設けられ突起３１が嵌着される孔３３ａ、３３ｂ、３５ａ，３７ａとから構成されている。
【００２５】
孔３３ａ、３３ｂ、３５ａ，３７ａは貯湯槽３の傾斜面部７に左右に並列に２個ずつ２組設けられている。この２組の孔のいずれを使用するかによって、ヘッドレスト５の位置調整ができる。
【００２６】
なお、上記の例では、ヘッドレスト５側に突起３１ａ、３１ｂを設け、貯湯槽３側に孔３３ａ、３３ｂ、３５ａ，３５ｂを設けた例を示したが、これとは逆にヘッドレスト５側に孔を設け、貯湯槽３側に突起を設けるようにしてもよい。もっとも、この場合には上側に設けた突起がヘッドレスト５の下面に干渉することになるので、この干渉を避けるためにヘッドレスト５の下面に凹部を設けるようにする必要がある。
【００２７】
以上説明した実施形態においては、取付部の位置を変更することで、ヘッドレスト５における頭部保持部１８を斜め方向上下に移動できるようにした。
しかし、例えばヘッドレスト５の頭部保持部１８を取付部に対して斜め上下方向移動可能に構成すれば、取付部の位置を変更しなくても、頭部保持部１８のみを斜め上下方向に移動でき、上記の実施の形態と同様の効果が得られる。
具体例としては、ヘッドレスト５を厚み方向に２枚の板で形成して、両者が互いにスライドできるようにすれば、頭部保持部１８を斜め上下方向に移動できる。
【００２８】
【発明の効果】
以上のように本発明によれば、頭部保持部の位置を斜め上下方向移動可能に構成したので、乳幼児の成長に合わせて、あるいは体長の異なる複数の乳幼児にも使用できる。
【図面の簡単な説明】
【図１】本発明の一実施形態の分解斜視図である。
【図２】本発明の一実施形態の平面図である。
【図３】本発明の一実施形態の側面図である。
【図４】図２における矢視Ａ−Ａ断面図である。
【図５】図２における矢視Ｂ−Ｂ断面図である。
【図６】本発明の一実施形態の作用説明図である。
【図７】本発明の一実施形態の作用説明図である。
【図８】本発明の他の実施形態の要部の説明図である。
【図９】図８に示した本発明の他の実施形態の要部の説明図である。
【図１０】本発明の他の実施形態の要部の説明図である。
【図１１】本発明の他の実施形態の要部の説明図である。
【符号の説明】
１　乳幼児用浴槽
３　貯湯槽
５　ヘッドレスト
１８　頭部保持部
２０ａ、２０ｂ　回動軸
２１ａ、２１ｂ、２３ａ、２３ｂ　軸受孔
２５　扁平部
２７　溝部
３１ａ、３１ｂ　突起
３３ａ、３３ｂ、３５ａ，３５ｂ　孔
【図１】
2004065457.tif 000003
【図２】
2004065457.tif 000004
【図３】
2004065457.tif 000005
【図４】
2004065457.tif 000006
【図５】
2004065457.tif 000007
【図６】
2004065457.tif 000008
【図７】
2004065457.tif 000009
【図８】
2004065457.tif 000010
【図９】
2004065457.tif 000011
【図１０】
2004065457.tif 000012
【図１１】
2004065457.tif 000013